(57)【要約】【課題】ソフトルアーに釣針を取り付ける部位に自由度があり、ソフトルアー本来の動きを生かすことができるソフトルアー接続具の提案【解決手段】ソフトルアー接続具１０は、基部１１と、針金１２とを備えている。針金１２は、基部１１の内部においてループ状に延びたループ部１２ａと、ループ部１２ａの一端が基部１１から出てらせん状に延びたらせん状部１２ｂと、ループ部１２ａの他端が基部１１から出てらせん状部１２ｂの中心部を通って延びた芯状部１２ｃとを備えている。【選択図】図２
2010263881.tif 000002
【特許請求の範囲】
【請求項１】
基部と、
前記基部に一部が埋められた針金と
を備え、
前記針金は、
前記基部の内部にループ状に延びたループ部と、
前記ループ部の一端が前記基部から出てらせん状に延びたらせん状部と、
前記ループ部の他端が前記基部から出て前記らせん状部の中心部を通って延びた芯状部と、
を備えた、ソフトルアー接続具。
【請求項２】
前記基部は、ゴム製である、請求項１に記載されたソフトルアー接続具。
【請求項３】
前記針金のループ部を前記基部の内部に納めた状態で前記基部を成形した、請求項２に記載されたソフトルアー接続具。
【請求項４】
前記基部は、前記針金が出た部分の全周にわたって外側に張り出したつば部を有する、請求項１から３までの何れか一項に記載されたソフトルアー接続具。
【請求項５】
前記基部は、略円筒形状である、請求項１から４までの何れか一項に記載された、ソフトルアー接続具。
【請求項６】
前記基部は、前記ループ部を通るように釣針を刺すことができ、当該釣針を刺すべき部分に目印を有する、請求項１から５までの何れか一項に記載された、ソフトルアー接続具。
【請求項７】
前記目印は前記基部に設けた窪みである、請求項６に記載のソフトルアー接続具。
【請求項８】
前記基部は前記ループ部を通るように貫通孔を有している、請求項１から５までの何れか一項に記載された、ソフトルアー接続具。
【請求項９】
前記基部は前記ループ部を通るように糸が通された、請求項１から５までの何れか一項に記載された、ソフトルアー接続具。
【請求項１０】
前記基部は装飾材を有する、請求項１から９までの何れか一項に記載された、ソフトルアー接続具。
【請求項１１】
ループ状に延びたループ部と、前記ループ部の一端がらせん状に延びたらせん状部と、前記ループ部の他端が前記らせん状部の中心部を通って延びた芯状部とを備えた針金；及び、前記針金のループ部に取り付けられた錘；を備えた、ソフトルアー用錘。
【請求項１２】
前記錘は一端に取付リングを有し、当該取付リングを前記針金のループ部に通した、請求項１１に記載されたソフトルアー用錘。
【請求項１３】
前記錘が前記針金のループ部に固着するように鋳造された金属製の錘である、請求項１１に記載されたソフトルアー用錘。
【請求項１４】
全体として針金で形成されており、
ループ状に延びたループ部と、
前記ループ部の一端がらせん状に延びたらせん状部と、
前記ループ部の他端が前記らせん状部の中心部を通って延びた芯状部と
を備えた、ソフトルアー用の錘取付具。
【発明の詳細な説明】
【技術分野】
【０００１】
ソフトルアーを接続する接続具及びソフトルアー用錘に関する。
【背景技術】
【０００２】
いわゆるソフトルアーは軟質のプラスチック材料等からなり、釣針を直接刺して使用される。この場合、キャスティング時や、アクションを付ける操作や、魚のバイトがあった場合などにおいて、ソフトルアーが切れたり、ソフトルアーが釣針から外れたりすることがあり、ソフトルアーを回収できない場合があった。このようなソフトルアーの問題点については、例えば、特開２００６-１１５７４７号公報（特許文献１）に開示されている。
【０００３】
同号公報では、先端にネイルシンカーと呼ばれる細い金属の重りを差し込んで、長手方向の中ほどに釣針をちょん掛けするソフトルアー釣り用の仕掛けが開示されている。ここで開示されている仕掛けは、ソフトルアーの頭に相当する先端に露出して鉛の重りが設けられ、針金の一端がこの鉛に取り付けられてソフトルアーにインサート成形されている。この針金の他端に形成されたループ状部分は、ソフトルアーの略背部から露出している。ループ状部分は、略楕円型をしており、釣針を刺すことができる短いゴム管材で覆われ、釣針を係止するための係止部になる。また、針金は、重りと係止部を連結する連結部になる。
【先行技術文献】
【特許文献】
【０００４】
【特許文献１】特開２００６-１１５７４７号公報
【発明の概要】
【発明が解決しようとする課題】
【０００５】
特許文献１に開示された仕掛けでは、釣針を係止する係止部と重りとが針金で連結されている。このため釣針を取り付ける部位と重りとの位置関係が限られてしまう。また、ソフトルアーの中に、釣針を係止する係止部と重りとを連結するように針金が通っているので、ソフトルアー本来の動きを大きく阻害する場合がある。
【０００６】
そこで、本発明者は、ソフトルアーに釣針を取り付ける部位に自由度があり、ソフトルアー本来の動きを生かすことができるソフトルアー接続具を提案する。さらに、ソフトルアーの仕掛けのバリエーションを広げることができる新規なソフトルアー用錘及びソフトルアー用の錘取付具を提案する。
【課題を解決するための手段】
【０００７】
本発明に係るソフトルアー接続具は、基部と、基部に一部が埋められた針金とを備えている。針金は、基部の内部にループ状に延びたループ部と、ループ部の一端が基部から出てらせん状に延びたらせん状部と、ループ部の他端が基部から出てらせん状部の中心部を通って延びた芯状部とを備えている。
【０００８】
このソフトルアー接続具は、例えば、基部の内部にループ状に延びた針金のループ部に釣針が通るように、基部に釣針を刺して用いる。そして、針金のらせん状部と芯状部を、ソフトルアーにねじ込むことによって取り付ける。この場合、ソフトルアーは、針金のらせん状部と芯状部が刺さっており、釣針を直接刺す場合に比べて応力の集中が緩和されるので、ちぎれ難く、脱落し難い。また、このソフトルアー接続具は、ソフトルアーに釣針を取り付ける部位に自由度があり、ソフトルアーに刺さる部分も局所的であるから、ソフトルアー本来の動きを阻害しない。
【０００９】
基部は、例えば、ゴム製とするとよい。この場合、針金のループ部を基部の内部に納めた状態で基部を成形してもよい。また、基部は、針金が出た部分の全周にわたって外側に張り出したつば部を有していてもよい。また、基部は、略円筒形状であってもよい。また、基部はループ部を通るように貫通孔を有していても良い。また、基部はループ部を通るように糸を通していてもよい。
【００１０】
また、本発明に係るソフトルアー用錘は、ループ状に延びたループ部と、ループ部の一端がらせん状に延びたらせん状部と、ループ部の他端がらせん状部の中心部を通って延びた芯状部とを備えた針金；及び、針金のループ部に取り付けられた錘；を備えている。
【００１１】
また、本発明に係るソフトルアー用の錘取付具は、全体として針金で形成されており、ループ状に延びたループ部と、ループ部の一端がらせん状に延びたらせん状部と、ループ部の他端がらせん状部の中心部を通って延びた芯状部とを備えている。
【図面の簡単な説明】
【００１２】
【図１】ソフトルアー接続具を示す正面図。
【図２】ソフトルアー接続具の使用状態を示す側面図。
【図３】基部に貫通孔を有するソフトルアー接続具を示す側面図。
【図４】基部に糸が通されたソフトルアー接続具を示す側面図。
【図５】基部に装飾材を有するソフトルアー接続具を示す側面図。
【図６】ソフトルアー用錘を示す図。
【図７】ソフトルアー用錘の使用状態を示す図。
【図８】ソフトルアーにソフトルアー用錘が取り付けられた部位を示す図。
【図９】ソフトルアー用錘の他の実施形態を示す図。
【図１０】他の実施形態に係るソフトルアー用錘の使用状態を示す図。
【発明を実施するための形態】
【００１３】
以下、本発明に係るソフトルアー接続具を図面に基づいて説明する。
【００１４】
ソフトルアー接続具１０は、図１に示すように、基部１１と、針金１２とを備えている。基部１１は、この実施形態では、釣針２０（図２参照）を刺すことが可能な部材であり、略円筒形状を有しており、下部に全周にわたって外側に張り出したつば部１１ａを有している。
【００１５】
針金１２は、ループ部１２ａと、らせん状部１２ｂと、芯状部１２ｃとを備えている。ループ部１２ａは、基部１１の内部においてループ状（環状）に延びた部位である。らせん状部１２ｂは、ループ部１２ａの一端が基部１１から出てらせん状に延びた部位である。芯状部１２ｃは、ループ部１２ａの他端が基部１１から出てらせん状部１２ｂの中心部を通って延びた部位である。この実施形態では、らせん状部１２ｂと芯状部１２ｃは、それぞれつば部１１ａを有する基部１１の下面から延出している。
【００１６】
この実施形態では、基部１１はゴム製であり、針金１２のループ部１２ａを基部１１の内部に納めた状態で基部１１を成形している。すなわち、基部１１を成形する際に成形金型に、所定形状に成形した針金１２のループ部１２ａをセットして基部１１を成形している。これにより、基部１１の成形工程において基部１１と針金１２とを一体的に接合することができる。
【００１７】
このソフトルアー接続具１０は、例えば、図１又は図２に示すように、基部１１の内部にループ状に延びた針金１２のループ部１２ａに釣針２０が通るように、基部１１に釣針２０を刺して用いる。図中の符号２０ａは、基部１１に釣針２０を刺す部位を示している。
【００１８】
ソフトルアー接続具１０は、このように基部１１に釣針２０を刺した状態で、針金１２のらせん状部１２ｂと芯状部１２ｃを、ソフトルアー４０にねじ込むことによって、ソフトルアー４０に取り付ける。この際、芯状部１２ｃはソフトルアー接続具１０をソフトルアー４０にねじ込む際のガイドになる。
【００１９】
また、らせん状部１２ｂがソフトルアー４０内部にねじ込まれることによって、らせん状部１２ｂがソフトルアー４０に重畳的に係合するので、ソフトルアー接続具１０がソフトルアー４０から脱落し難くなる。また、ソフトルアー接続具１０では針金１２のらせん状部１２ｂと芯状部１２ｃがソフトルアー４０に刺さっており、釣針２０をソフトルアー４０に直接刺す場合に比べて、ソフトルアー４０に生じる応力の集中が緩和される。このため、ソフトルアー４０は、ちぎれ難く、脱落し難い。また、このソフトルアー接続具１０によれば、ねじることにより向きが変わるので、釣針２０をソフトルアー４０に対して適当な向きに付けることができる。
【００２０】
また、この実施形態では、基部１１はゴム製であり、釣針２０を安定して刺すことができる。なお、例えば、図３に示すように、基部１１には、釣針２０を刺す部分２０ａ（図２参照）において、ループ部１２ａを通るように予め貫通孔１４を形成してもよい。このような貫通孔１４を形成すると、釣針２０を刺す作業が容易になる。なお、このような貫通孔１４は必ずしも必要ではない。
【００２１】
また、貫通孔１４を形成しない場合には、例えば、基部１１に釣針２０を刺す部分に目印を付けてもよい。例えば、図４に示すように、基部１１に、釣針２０を刺す部分の目印として、ループ部１２ａを通るように糸６０を通しておいてもよい。このような糸６０（目印）があると、釣り人が基部１１に対して釣針２０を刺す位置が確認し易い。また糸６０は、釣り人が基部１１に対して釣針２０を刺した後で抜くとよく、ソフトルアー４０の使用にも邪魔にならない。
【００２２】
なお、釣針２０を刺す部分に付ける目印としては、上記の貫通孔１４や糸６０に限らず、基部１１に窪みを付けたり、基部１１に色を着けたりしてもよい。
【００２３】
また、この実施形態では、基部１１は、針金１２が出た部分の全周にわたって外側に張り出したつば部１１ａを有していている。このつば部１１ａが設けられた面は、図２に示すように、ソフトルアー接続具１０をソフトルアー４０にねじ込んだ状態で、ソフトルアー４０に当る。このようにつば部１１ａを付けると、基部１１とソフトルアー４０との接触面積が広くなる。このため、キャスティング時にソフトルアー接続具１０がソフトルアー４０からずれるのを抑止できる。また、ソフトルアー接続具１０がソフトルアー４０からずれ難いので、アクションを付ける操作などでより的確にソフトルアー４０を操作できる。
【００２４】
また、この実施形態では、基部１１は略円筒形状であるが、基部１１が略円筒形状であると、アクションを付ける操作などで水の抵抗を抑えることができ、また、障害物が多いエリアで魚を狙う際も、障害物に引っ掛かるのを抑止できる。なお、基部１１の形状は、図１又は図２に示すような略円筒形状に限定されない。
【００２５】
従前、このようなソフトルアー接続具１０はなく、ソフトルアー４０に釣針２０を直接刺していた。この場合、釣り竿を用いてソフトルアー４０をキャストする際に作用する力で、ソフトルアー４０がちぎれて脱落することがよくあった。このソフトルアー接続具１０によれば、釣針２０を直接ソフトルアー４０に掛ける場合に比べて、ソフトルアー４０に作用する応力集中を緩和できる。
【００２６】
このため、キャスティング時や、アクションを付ける操作や、魚のバイトがあった場合などにおいて、ソフトルアー４０がちぎれて脱落するのを防止でき、ソフトルアー４０のロストを低減できる。また、ソフトルアー４０と釣針２０との接続部分が安定するので、ソフトルアー４０を水中で操作する場合などにおいて操作性が向上する。また、釣針２０を取り付ける部位に自由度があり、針金２０が通る部分も局所的であるから、ソフトルアー４０本来の動きを阻害しない。
【００２７】
また、基部１１は装飾材１８を有していてもよい。例えば、図５に示すように、基部１１に、装飾材１８として糸を束ねたような飾り（総（ふさ））を付けても良い。装飾材１８としては、例えば、豚の毛やゴム素材を細く切ったラバースカートでもよい。この場合、ソフトルアー接続具１０Ａは、ソフトルアー４０に釣針２０を連結する用途のほか、ソフトルアー４０に装飾材１８を付ける部材としても用いることができる。また、当該基部１１に装飾材１８を有したソフトルアー接続具１０Ａは、当該基部１１に釣針２０を刺すこともできる。
【００２８】
図６は、ソフトルアー用錘３０を示している。また、上記ソフトルアー用錘３０の針金１２部分は、ソフトルアー用の錘取付具３２として用いることができる。
【００２９】
このソフトルアー用錘３０は、ソフトルアー用の錘取付具３２と、錘３４で構成されている。ソフトルアー用の錘取付具３２は、全体として針金で構成されており、ループ状に延びたループ部３２ａと、ループ部３２ａの一端がらせん状に延びたらせん状部３２ｂと、ループ部３２ａの他端がらせん状部３２ｂの中心部を通って延びた芯状部３２ｃとを備えている。錘３４は、ソフトルアー用の錘取付具３２のループ部３２ａに取り付けられている。この実施形態では、錘３４は、一端にスイベル３４ａを介して取付リング３４ｂが取り付けられている。そして、当該取付リング３４ｂが、上記ソフトルアー用の錘取付具３２のループ部３２ａに通されている。
【００３０】
図７は、ソフトルアー用錘３０がソフトルアー４０Ａに取り付けられた状態を示している。図８はソフトルアー４０Ａにソフトルアー用錘３０を取り付けた部分の拡大図である。かかるソフトルアー用錘３０によれば、図７及び図８に示すように、ソフトルアー用の錘取付具３２のらせん状部３２ｂと芯状部３２ｃをソフトルアー４０Ａに刺し、らせん状部３２ｂのらせんに沿ってねじ込むことによって、ソフトルアー４０Ａに取り付けることができる。
【００３１】
このソフトルアー用の錘取付具３２は、図６に示すように、ループ部３２ａに錘３４を取り付けた状態で、ソフトルアー用の錘取付具３２のらせん状部３２ｂと芯状部３２ｃを、ソフトルアー４０Ａの任意の位置にねじ込むとよい。この際、芯状部３２ｃはソフトルアー用の錘取付具３２をソフトルアー４０Ａにねじ込む際のガイドになる。このように、ソフトルアー用の錘取付具３２によれば、図７に示すように、ソフトルアー４０Ａの任意の位置に、錘３４を取り付けることができる。
【００３２】
また、らせん状部３２ｂは、ソフトルアー用の錘取付具３２がソフトルアー４０Ａにねじ込まれる方向において、複数本の針金が略平行に並んでいる。このため、らせん状部３２ｂがソフトルアー４０Ａ内部にねじ込まれた状態では、らせん状部３２ｂがソフトルアー４０Ａに重畳的に係合する。このため、ソフトルアー用の錘取付具３２は、ソフトルアー４０Ａから脱落し難い。また、らせん状部３２ｂと芯状部３２ｃがソフトルアー４０Ａに刺さった部分は、複数の針金がソフトルアー４０Ａに刺さっており、全体として応力の集中が緩和される。このため、ソフトルアー４０Ａは、ちぎれ難く、脱落し難い。従って、かかるソフトルアー用の錘取付具３２を介して錘３４を取り付ける場合には、より重い錘３４を付けても、ソフトルアー４０Ａから錘が脱落するのを防止できる。
【００３３】
このソフトルアー用の錘取付具３２を用いることによって、今までより重い錘３４をソフトルアー４０に取り付けることが可能である。かかるソフトルアー４０に今までよりも重い錘３４を取り付ける場合に、ソフトルアー４０に直接釣針を引っ掛けると、釣針が刺さった部分に生じる応力が大きくなりすぎて、ソフトルアー４０がちぎれて、ソフトルアー４０が釣針から脱落する可能性がある。これに対して、ソフトルアー用の錘取付具３２は、図７に示すように、ソフトルアー接続具１０と合わせて使うことによってソフトルアー４０がちぎれるのを防止できる。
【００３４】
上述したように、このソフトルアー用の錘取付具３２によれば、ソフトルアー４０の任意の位置に錘３４を取り付けることができる。図７に示す例では、ソフトルアー用錘３０は、ソフトルアー４０の一端に取り付けられているが、ソフトルアー用錘３０を取り付ける位置は、かかる位置に限定されず、釣り人が任意に工夫できる。このソフトルアー用錘３０では、今まで錘を取り付けることができなかった位置に、錘３４を取り付けることができる。また、ソフトルアー用錘３０は、ソフトルアー接続具１０と合わせて用いることができ、今までよりも、ソフトルアー４０Ａを用いた仕掛けのバリエーションを広げ、ソフトルアー４０Ａの可能性を広げることができる。
【００３５】
また、この実施形態では、一端に取付リング３４ｂが取り付けられた錘３４をソフトルアー用の錘取付具３２のループ部３２ａに通している。このため、ソフトルアー用の錘取付具３２を変更せずに、釣り人が所望の重さ又は所望の形状の錘３４に交換することが可能である。錘３４の取付リング３４ｂは、スプリットリングや開閉機構を有するリングで構成してもよい。取付リング３４ｂをスプリットリングや開閉機構を有するリングで構成することによって、ソフトルアー４０Ａにソフトルアー用の錘取付具３２を付けた状態のままで、錘３４を交換することができる。
【００３６】
また、ソフトルアー用錘３０は、一端に取付リング３４ｂが取り付けられた錘３４をソフトルアー用の錘取付具３２のループ部３２ａに通した構成を例示したが、ソフトルアー用錘は、かかる形態に限定されない。図９に示すように、他の形態に係るソフトルアー用錘３０Ｂを示す。図１０は、かかる他の形態に係るソフトルアー用錘３０Ｂをソフトルアー４０Ｂに取り付けた状態を示している。
【００３７】
他の形態に係るソフトルアー用錘３０Ｂは、図９及び図１０に示すように、ループ状に延びたループ部３２ａと、ループ部３２ａの一端がらせん状に延びたらせん状部３２ｂと、ループ部３２ａの他端がらせん状部３２ｂの中心部を通って延びた芯状部３２ｃとを備えた針金３２Ｂと、針金３２のループ部３２ａに固着するように鋳造された金属製の錘３６を備えている。
【００３８】
このように、針金３２Ｂのループ部３２ａに、金属製の錘３６を鋳造により固着させてもよい。この場合、ソフトルアー４０Ｂに錘３６を密着させることができる。これにより、から、ソフトルアー４０Ｂによりキビキビしたアクションを与えることが容易になる。この実施形態では、針金３２のループ部３２ａに鋳造により固着された金属製の錘３６の形状は、基部を円筒部とし、先が細くなった、弾丸形状と呼ばれる形状であるが、錘３６の形状は、かかる形状に限定されない。錘３６の形状は、例えば、半球形状、円筒形状などでもよい。また、錘３６の材質は、鉛やタングステンなど所要の比重を有する金属或いは合金を採用するとよい。
【００３９】
以上、本発明の一実施形態に係るソフトルアー接続具、ソフトルアー用錘及びソフトルアー用の錘取付具を説明したが、本発明は、上記の実施形態に限定されない。
【００４０】
例えば、基部の材質や形状や、つば部の有無、針金のループ部の形状、らせん状部、芯状部の具体的な形状など、ソフトルアー用の錘取付具、針金の材質や太さなど種々の変更が可能である。
【符号の説明】
【００４１】
１０、１０Ａ  ソフトルアー接続具
１１  基部
１１ａ  つば部
１２、３２Ｂ  針金
１２ａ  ループ部
１２ｂ  らせん状部
１２ｃ  芯状部
１４  貫通孔
１８  装飾材
２０  釣針
２０ａ  針を刺す部分
３０、３０Ｂ  ソフトルアー用錘
３２、  ソフトルアー用の錘取付具（針金）
３２ａ  ループ部
３２ｂ  らせん状部
３２ｃ  芯状部
３４  錘
３４ａ  スイベル
３４ｂ  取付リング
３６  錘
４０、４０Ａ、４０Ｂ  ソフトルアー
６０  糸
【図１】
2010263881.tif 000003
【図２】
2010263881.tif 000004
【図３】
2010263881.tif 000005
【図４】
2010263881.tif 000006
【図５】
2010263881.tif 000007
【図６】
2010263881.tif 000008
【図７】
2010263881.tif 000009
【図８】
2010263881.tif 000010
【図９】
2010263881.tif 000011
【図１０】
2010263881.tif 000012